(57)【特許請求の範囲】
【請求項１】
鋼製よりなる柱状構造物の本体の外周に樹木態様の擬装を施してなる柱状構造物において、
前記柱状構造物の本体の外周にはメタルラスが溶接をもって固着され、
該メタルラスを介して不飽和ポリエステル樹脂あるいはエポキシ樹脂等の熱硬化性合成樹脂素材よりなる人工樹皮が固着されてなる、
ことを特徴とする擬装された柱状構造物。
【請求項２】
人工樹脂の合成樹脂素材には不飽和ポリエステル樹脂、エポキシ樹脂のいずれかが選択される請求項１に記載の柱状構造物。
【請求項３】
不飽和ポリエステル樹脂、エポキシ樹脂には強化用繊維が混入される請求項２に記載の柱状構造物。
【発明の詳細な説明】
【０００１】
【発明の属する技術分野】
この発明は、無線用塔状構造物、電柱、信号機用の支柱等の地上に立設される柱状構造物に関する。
【０００２】
【従来の技術】
移動電話・携帯電話の普及に伴い、その中継点としての無線用塔状構造物の建造がなされている。すなわち、該無線用塔状構造物においては、可及的広範囲の送受信域を確保する必要から、可及的高い塔本体が立設され、その上端部もしくは頂部に送受信用のアンテナが設置されるものである。
しかしながら、この種の無線用塔状構造物においては、塔本体はコンクリート製あるいは鋼製を問わず、その外面が露出したものとなっており、当該塔体が高い程、景観において違和感があり、問題となっている。
【０００３】
【発明が解決しようとする課題】
本発明は上記実情に鑑みなされたものであり、この種の柱状構造物において、景観において違和感のない新規な柱状構造物を提供することを目的とする。
本発明はこのため、柱状構造物に樹木の擬態を施すことに基本的着想を得てこの問題を解決したものである。
【０００４】
【課題を解決するための手段】
本発明の柱状構造物は次の構成を採る。
すなわち、鋼製よりなる柱状構造物の本体の外周に樹木態様の擬装を施してなる柱状構造物において、前記柱状構造物の本体の外周にはメタルラスが溶接をもって固着され、該メタルラスを介して不飽和ポリエステル樹脂あるいはエポキシ樹脂等の合成樹脂素材よりなる人工樹皮が固着されてなることを特徴とする。
【０００５】
上記構成において、メタルラスはスポット溶接により固着される。また、人工樹脂の合成樹脂素材には不飽和ポリエステル樹脂、エポキシ樹脂のいずれかが選択される。
【０００６】
（作用）
この柱状構造物は、あたかも樹木然とし、柱状構造の本体の素材が現れず、景観上違和感を与えない。人工樹皮はその接着性により柱状構造物の本体に固着されるとともに、メラルラスにも固着され、柱状構造物に強固に付着される。更に、本体に被着される人工樹皮により耐候性を得る。
【０００７】
【発明の実施の形態】
本発明の擬装された柱状構造物の実施の形態を図面に基づいて説明する。
（実施形態の構成）
図１〜図４はその一実施の形態の擬装された柱状構造物を示し、その上部に無線送受信用のアンテナが配置される無線用塔状構造物いわゆる無線タワーへの適用例を示す。すなわち、図１はその全体概要構成を示し、図２〜図４はその細部構成を示す。
【０００８】
この無線用塔状構造物Ｔは、鋼製の柱状体１と、該柱状体１から突設される太枝用管部材２と、該柱状体１・太枝用管部材２の外周に定着手段３を介して装着される人工の樹皮４と、太枝用管部材２に接続される細枝部材５と、からなり、柱状体１の上端部及び頂部にアンテナ６、更には避雷針７が取り付けられる。なお、柱状体１に樹皮４が被着されて幹部１Ａを構成し、太枝用管部材２に樹皮４が被着されて太枝部材２Ａを構成する。
そして、この無線用塔状構造物Ｔは、基台Ｂに柱状体１が定着され、鉛直に立設される。
【０００９】
以下、各部の細部構成を説明する。
柱状体１
柱状体１は鋼製をもって形成され、長尺の中空円柱体をなす。本実施形態の柱状体１は１本ものをなし、かつ、下部より上部に至るに従って径を縮小するテーパー状をなす。
柱状体１の下端には、定着板１０が固着され、基台Ｂにアンカーボルト・ナット（図示せず）をもって定着される。
柱状体１の中空部には、アンテナ６の配線が配される外、柱状体１が大径の場合には作業員が入り込めるものである。柱状体１の下部には内部との連通のために扉１１が設けられる。
柱状体１はテーパー管態様の外、直管状の管状柱状体を除外するものではない。また、１本ものの外、上下にセグメント管として複数に分割され、これらのセグメント管相互を接合して１本ものとする態様を採ることができる。
【００１０】
太枝用管部材２
太枝用管部材２は、鋼製の細径の直管体からなり、主として柱状体１の上部において該柱状体１の外面に直交もしくは斜交して接合される。その接合態様として、溶接をもって固定される外、ねじ込み態様を採ることができる。すなわち、ねじ込み態様においては、柱状部材１にねじ孔が開設され、太枝用管部材２の端部に螺設されたねじをこのねじ孔に螺合して固定される。該太枝用管部材２の他端部は、細枝部材５の接合用となる。
【００１１】
定着手段３・人工樹皮４
人工樹皮４は、柱状体１・太枝用管部材２の外周に定着手段３を介して装着される。
もっと詳しくは、定着手段３は、メタルラス（金網）態様を採り、スポット溶接をもって柱状体１及び太枝用管部材２の外周に固定される。該メタルラス３は柱状体１及び太枝用管部材２の外周の全面に固定されることが望ましいが、接合強度が保持できる場合には部分的に配されてもよい。人工樹皮４は、このメタルラス３を介して、柱状部材１及び太枝部材２の外周に所定の厚さをもって装着される。
【００１２】
（人工樹皮４）
人工樹皮４は、本実施形態において、合成樹脂、特には不飽和ポリエステル樹脂、あるいはエポキシ樹脂をもって一定厚さの樹皮状に成形される。不飽和ポリエステル樹脂・エポキシ樹脂はいわゆる低圧成形用熱硬化性樹脂の一種であり、当該樹脂に樹皮の色合いの顔料を混合し、その未硬化状態でメタルラス３を介して柱状体１の外面に塗り付け、一定の熱処理工程をもって硬化させて成形する。この成形過程において、樹皮の表面の粗さを模すべく、手作業をもって凹凸を附すようになす。なお、不飽和ポリエステル樹脂またはエポキシ樹脂にガラス繊維等の強化用繊維を混入することにより、樹皮４の強度を増すことができる。更には、この硬化樹皮４の表面にゲルコートをもって表面処理し、耐候性を向上させる処理を採ることができる。
【００１３】
細枝部材５（図２参照）
細枝部材５は、人工の小枝及び葉より構成され、それ自体で所要の強度を持ち、太枝部材２Ａに接続される。
もっと詳しくは、該細枝部材５は、強度を保持する芯材１５と該芯材１５に被着される樹皮１６・葉１７とからなる。芯材１５は可及的軽量で強度を有する素材が使用され、そのようなものとして軽金属、例えばアルミが、あるいは塩化ビニル樹脂等の硬質合成樹脂が選ばれる。芯材１５の一端には接合杆１８が突出状に固定され、太枝部材２Ａとの接合部に挿入される。樹皮１６及び葉１７は合成樹脂素材をもって形成され、好ましくは、樹皮１６は幹部１Ａと同様の不飽和ポリエステル樹脂、あるいはエポキシ樹脂をもって成形され、葉１７には塩化ビニル樹脂をもって成形される。
該細枝部材５は柱状体１の上部において、すなわちアンテナ６の設置位置の近傍において、密に取り付けられ、その枝葉をもってアンテナ６を隠蔽する。
【００１４】
（接手構造）（図４参照）
太枝部材２Ａと細枝部材５とは所要の接手構造をもって接合される。
すなわち、本実施形態の接手構造は、図４にその詳細を示すように、太枝部材２Ａの端部において、太枝用管部材２にはボルト挿通孔２０が開設され、樹皮４にはこのボルト挿通孔２０に連なり、該ボルト挿通孔２０より大径の凹孔２１が開設される。一方、細枝部材５の接合杆１８には太枝部材２Ａのボルト挿通孔２０に対応して同じくボルト挿通孔２２が開設される。接合杆１８の太枝部材２Ａへの挿入において、これらのボルト挿通孔２０，２２を一致させるとともに、これらのボルト挿通孔２０，２２に締付け具２４の一方のボルト２５を挿通させ、締付け具２４の他方のナット２６を螺合させて締め付ける。ボルト２５の頭部及びナット２６は人工樹皮４の凹孔２１内に埋め込まれる。接手構成はこの態様に限定されず、他の適宜のものが採用される。接合材１８が太枝用管部材２の内孔に強嵌合する態様はその一例である。
【００１５】
アンテナ６等（図３参照）
アンテナ６は、取付け杆２８を介して柱状体１の上端部に１又は複数（本実施形態では４）配され、本実施形態ではこれらの４個のアンテナ６は等間隔（９０°）を保って、かつ同一高さに配される。
アンテナ６は取付け杆２８により柱状体１の中心より可及的離れた位置に配されるが、細枝部材５により隠蔽される。
アンテナ６の配設は、本実施形態に限らず、２個の場合においては１８０°間隔に、３個の場合においては１２０°間隔に配されるが、いずれの態様においてもこれらのアンテナ６間に細枝部材５が配される。
避雷針７は、柱状体１の頂上部に建てられる。該避雷針７は本発明において本質的事項ではない。
【００１６】
以上の構成をもって、この無線用塔状構造物Ｔは、全体的に擬木態様をなす。そして、この擬木は周囲の環境・景観に対応した樹種が選ばれる。すなわち、図例では広葉樹の態様を採るが、針葉樹であってもよい。そして、周囲が杉林であれば、杉の態様を採る。
この無線用塔状構造物Ｔの全体的形状に付き、枝部材２，５は、上部に密に配されることに留意されるべきである。そして、この密に配された枝部材により、アンテナ６が隠蔽される。
【００１７】
設置態様
この無線用塔状構造物Ｔは、各部分に分けて工場において製作される。すなわち、柱状体１及び太枝部材２には樹皮４を被着して製作される。また、細枝部材５は芯材１５に枝・葉１６，１７を被着して製作される。
しかる後、各部材に分けて設置現場に搬入される。
設置現場において、柱状体１の太枝部材２Ａに細枝部材５が接手構造を介して取り付けられ、しかる後、この全体をクレーン装置をもって立設し、予め構築された基台Ｂに固定する。しかる後、アンテナ６並びに避雷針７を柱状体１の頂部にまで吊り上げ、柱状体１の上部及び頂部に取り付けられる。
【００１８】
（実施形態の作用・効果）
この無線用塔状構造物Ｔは、擬木態様をなし、その上部に取り付けられるアンテナ６は細枝部材５の枝葉により隠蔽される。
これにより、本無線用塔状構造物Ｔは通常の樹木に見做され、景観上違和感を与えない。
また、組立てにおいて、細枝部材５は接手構造をもって太枝部材２に簡単かつ強固に固定される。
【００１９】
本発明は上記実施の形態に限定されるものではなく、本発明の基本的技術思想の範囲内で種々設計変更が可能である。
すなわち、以下の態様は本発明の技術範囲内に包含されるものである。
1)  本発明は無線用塔状構造物に限定されるものではなく、電柱、信号用支柱等の一般の柱状構造物にも適用されるものである。
【００２０】
【発明の効果】
本発明の柱状構造物によれば、擬木態様をなし、通常の樹木に見做され、景観上違和感を与えない。人工樹皮はメタルラスを介して柱状構造物に強固に固着され、長期にわたって剥離することがない。
【図面の簡単な説明】
【図１】  本発明の擬装された柱状構造物の一実施形態の全体構成を示す一部断面側面図。
【図２】  細枝部材の構造を示す断面図。
【図３】  図１のIII 方向矢視図。
【図４】  図１のIV部分の拡大分解図。
【符号の説明】
Ｔ…無線用塔状構造物、１…柱状体、２…太枝部材、３…定着部材（メタルラス）、４…人工樹皮、５…細枝部材、６…アンテナ
【図１】
0003802770.tif 000002
【図２】
0003802770.tif 000003
【図３】
0003802770.tif 000004
【図４】
0003802770.tif 000005